(57)【特許請求の範囲】
【請求項１】
便器と、前記便器に設けられ制御部を有する本体部と、を含み、トイレ室内に設けられたトイレ装置と、
前記制御部と無線通信を行うリモコンと、
前記トイレ室内に設けられ前記制御部と無線通信を行う照明装置と、
前記リモコンと前記照明装置との間の少なくとも一部にシールド部材と、
を備え、
前記シールド部材は、前記制御部と前記照明装置との間に配置されておらず、
前記リモコンは、前記照明装置の光を調整する調整信号を送信し、
前記制御部は、前記調整信号を前記リモコンから受信し、前記調整信号に基づいて前記照明装置を制御する制御信号を送信し、
前記照明装置は、前記調整信号を前記リモコンから受信せず、前記制御信号を前記制御部から受信することを特徴とするトイレシステム。
【請求項２】
前記リモコン及び前記照明装置は、前記トイレ室内の同一の壁面に設置されたことを特徴とする請求項１記載のトイレシステム。
【請求項３】
キャビネット、鏡及び手洗い器の少なくともいずれかをさらに備え、
前記少なくともいずれかの一部は、前記リモコンと前記照明装置との間に位置することを特徴とする請求項１または２に記載のトイレシステム。
【請求項４】
前記リモコンは、赤外線を用いて無線通信を行うことを特徴とする請求項１〜３のいずれか１つに記載のトイレシステム。
【発明の詳細な説明】
【技術分野】
【０００１】
本発明の態様は、一般的に、トイレシステムに関する。
【背景技術】
【０００２】
天井以外に間接照明などの照明が設けられたトイレ室が提案されている。トイレ室内の照明の配置を工夫することによって、使い勝手や演出性を高めることが可能である。例えば、特許文献１には、トイレ室内のキャビネットやカウンターに設けられた照明装置と、照明装置を制御する制御部と、制御部に信号を入力するための操作部と、を有するシステムが開示されている。
【０００３】
従来、照明の配置を工夫したり複数の照明を設置したりする場合、照明装置、制御部及び操作部などは、信号線や電力線などの配線によって接続されていた。これにより、使用者は、操作部を操作して、照明の明るさ等を調整することができる。  
しかしながら、このような配線を設けるための電気配線工事は、大きな手間となることがある。これに対して、照明装置、制御部及び操作部などを無線通信によって接続する方法が知られている。
【先行技術文献】
【特許文献】
【０００４】
【特許文献１】特開２０１０−１８２６８０号公報
【発明の概要】
【発明が解決しようとする課題】
【０００５】
リモコン（操作部）と照明装置との位置関係は、トイレ室の大きさや、使用者の好みに依存して変化する。このため、リモコンと照明装置との位置関係は、リモコンと照明装置との間の無線信号の送受信の観点から見ると、必ずしも好適でない場合がある。
【０００６】
本発明は、かかる課題の認識に基づいてなされたものであり、無線信号を送受信しやすいトイレシステムを提供することを目的とする。
【課題を解決するための手段】
【０００７】
第１の発明は、便器と、前記便器に設けられ制御部を有する本体部と、を含み、トイレ室内に設けられたトイレ装置と、前記制御部と無線通信を行うリモコンと、前記トイレ室内に設けられ前記制御部と無線通信を行う照明装置と、前記リモコンと前記照明装置との間の少なくとも一部にシールド部材と、を備え、前記シールド部材は、前記制御部と前記照明装置との間に配置されておらず、前記リモコンは、前記照明装置の光を調整する調整信号を送信し、前記制御部は、前記調整信号を前記リモコンから受信し、前記調整信号に基づいて前記照明装置を制御する制御信号を送信し、前記照明装置は、前記調整信号を前記リモコンから受信せず、前記制御信号を前記制御部から受信することを特徴とするトイレシステムである。
【０００８】
このトイレシステムによれば、制御信号は、トイレ装置から照明装置へ送信される。これにより、照明装置は、リモコンと照明装置との相対的な配置にかかわらず、トイレ装置から制御信号を受信することができる。したがって、照明装置が制御信号を確実に受信し易く、無線信号を送受信しやすいトイレシステムを提供できる。
【０００９】
第２の発明は、第１の発明において、前記リモコン及び前記照明装置は、前記トイレ室内の同一の壁面に設置されたことを特徴とするトイレシステムである。
【００１０】
リモコンと照明装置とが同一の壁面に設置された場合、通信に用いられる信号の指向性などによっては、リモコンと照明装置との間の直接的な無線通信は、より困難となることがある。これに対して、このトイレシステムによれば、制御信号は、トイレ装置から照明装置へ送信されるため、照明装置が制御信号を確実に受信し易い。
【００１１】
第３の発明は、第１または第２の発明において、キャビネット、鏡及び手洗い器の少なくともいずれかをさらに備え、前記少なくともいずれかの一部は、前記リモコンと前記照明装置との間に位置することを特徴とするトイレシステムである。
【００１２】
リモコンと照明装置との間に、キャビネット、鏡及び手洗い器の一部が存在すると、当該一部が無線信号を遮るシールド部材となり、リモコンと照明装置との間の直接的な無線通信が、より困難となることがある。これに対して、このトイレシステムによれば、制御信号は、トイレ装置から照明装置へ送信される。これにより、シールド部材を回避して信号を送受信することができ、照明装置が制御信号を確実に受信し易い。
【００１３】
第４の発明は、第１〜第３のいずれか１つの発明において、前記リモコンは、赤外線を用いて無線通信を行うことを特徴とするトイレシステムである。
【００１４】
赤外線は、障害物を透過しにくいため、赤外線が遮られずに伝搬できる空間を確保する必要がある。これに対して、このトイレシステムによれば、制御信号は、トイレ装置から照明装置へ送信される。このため、リモコンと照明装置との間に空間を確保できない場合でも、照明装置が制御信号を確実に受信し易い。
【発明の効果】
【００１５】
本発明の態様によれば、無線信号を送受信しやすいトイレシステムが提供される。
【図面の簡単な説明】
【００１６】
【図１】本発明の実施形態に係るトイレシステムの斜視図である。
【図２】実施形態に係るトイレシステムの要部構成のブロック図である。
【図３】図３（ａ）及び図３（ｂ）は、トイレシステムが有するトイレ装置を表す図である。
【図４】実施形態に係るトイレシステムの一部の平面図である。
【図５】実施形態に係るトイレシステムが有するリモコンの斜視図である。
【図６】実施形態に係るトイレシステムの動作を例示する平面図である。
【図７】実施形態に係る別のトイレシステムの要部構成のブロック図である。
【発明を実施するための形態】
【００１７】
以下、本発明の実施形態について図面を参照しつつ説明する。なお、各図面中、同様の構成要素には同一の符号を付して詳細な説明は適宜省略する。
【００１８】
図１は、本発明の実施形態に係るトイレシステム１の斜視図である。
【００１９】
本実施形態に係るトイレシステム１は、トイレ装置１０と、鏡２０と、キャビネット３０と、リモコン５０と、を備える。図１に表したように、トイレシステム１は、さらに、手洗い器４０を備えていてもよい。トイレ装置１０、鏡２０、キャビネット３０、手洗い器４０、およびリモコン５０は、トイレ室ＴＲの内部に設けられている。
【００２０】
本願明細書においては、各実施形態の説明のために、「方向」を用いる。これらの「方向」は、全て、トイレ装置１０の便座に着座した使用者からみた場合の方向を表している。例えば、便座に着座した使用者からみて前方を「前方」とし、便座に着座した使用者からみて右側方を「右側方」としている。
【００２１】
図１に表したように、トイレ装置１０は、トイレ室ＴＲの床面ＦＳ上に設置されている。あるいは、トイレ装置１０は、トイレ装置１０後方の側壁に、支柱によって支持されていてもよい。トイレ室ＴＲは、複数の壁面に囲まれた空間である。複数の壁面は、例えば平面状に延在する側壁ＳＷ１を含む。
【００２２】
図２は、実施形態に係るトイレシステムの要部構成のブロック図である。  
キャビネット３０は、例えばキャビネット３０の下に設けられた照明装置３０Ｌを有する。また、鏡２０は、照明装置２０Ｌを有する。照明装置２０Ｌ及び照明装置３０Ｌの具体例については後述する。  
図２において、ブロック同士をつなぐ実線の矢印は、有線による信号伝達経路を表す。また、ブロック同士をつなぐ破線の矢印は、無線による信号伝達経路を表す。図２に示したように、実施形態に係るトイレシステム１においては、トイレ装置１０、リモコン５０、照明装置３０Ｌ、照明装置２０Ｌが無線により接続されている。  
なお、実線の矢印でつながれたブロックの少なくとも一部は、１つの基板上の回路、または１つのモジュールとして、適宜統合されていてもよい。この場合、有線による接続とは、回路又はモジュール内での電気的な接続を含む。
【００２３】
次に、トイレシステム１の各要素の具体例について説明する。  
まず、図２、図３（ａ）及び図３（ｂ）を参照して、トイレ装置１０について説明する。図３（ａ）は、実施形態に係るトイレシステム１が有するトイレ装置１０の平面図であり、図３（ｂ）は、当該トイレ装置１０の斜視図である。
【００２４】
図３（ａ）および図３（ｂ）に表したように、トイレ装置１０は、便器１１と、便座１２と、便蓋１３と、本体部１４と、を有する。  
便座１２は、便器１１の上に設けられている。便蓋１３は、便器１１の上に、便座１２を覆うように設けられている。本体部１４は、便器１１の後方上部に設けられている。便座１２および便蓋１３は、本体部１４によって回動可能に軸支されている。
【００２５】
図２及び図３（ａ）に示すように、本体部１４は、洗浄機能部１４ｓと、制御部１５と、照明１６（光源部）と、人体検知センサ１７（入室検知センサ）と、着座検知センサ１８と、通信部１９と、を有する。また、本体部１４には、照明１６の電源部が適宜設けられる。洗浄機能部１４ｓは、例えば、洗浄水を噴射して人体局部の洗浄を行うノズルや、当該ノズルを駆動するモータ等を有する。人体検知センサ１７は、例えば、赤外線センサやマイクロ波センサなどであり、トイレ室ＴＲへの人体の入室を検知する。着座検知センサ１８は、例えば、赤外線を用いた測距センサであり、便座１２への人体の着座を検知する。
【００２６】
照明１６は、便器１１の後方に設けられ、例えば、本体部１４のうち上方に位置する。照明１６は、点灯時においてトイレ装置１０の後方に向けて光Ｌ１を照射し、トイレ装置１０の後方の壁を照らす。または、照明１６は、便器１１の両側の側方に設けられていてもよい。この場合、照明１６は、点灯時においてトイレ装置１０の側方に向けて光を照射する。あるいは、照明１６は、トイレ装置１０の側方および後方に設けられていてもよい。
【００２７】
通信部１９は、例えば、本体部１４のうち上方に位置する。通信部１９は、無線通信のための通信手段であり、この例では、電波を送受信可能な電波送受信モジュールである。例えば、無線通信には高周波信号（電波）が用いられる。この電波は、例えば極超短波（Ultra High Frequency：ＵＨＦ）であり、その周波数は、３００ＭＨｚ以上３ＧＨｚ以下程度であり、例えば２．４ＧＨｚである。通信部１９によって、制御部１５は、リモコン５０、照明装置３０Ｌおよび照明装置２０Ｌと無線通信が可能である。
【００２８】
制御部１５は、通信部１９を介してリモコン５０から、洗浄機能部１４ｓの動作を制御する信号を受信する。また、制御部１５は、人体検知センサ１７及び着座検知センサ１８から検知結果に関する信号を受信する。制御部１５は、これらの受信した信号に基づいて、洗浄機能部１４ｓの動作を制御する。
【００２９】
また、制御部１５は、通信部１９を介してリモコン５０から、照明の調整信号を受信する。この調整信号は、トイレシステム１に含まれる照明（照明１６及び後述する照明２２、３３、５３、５４の少なくともいずれか）の照度や色温度に関する。トイレシステム１においては、この調整信号に基づいて、各照明の照度や色温度が制御される。
【００３０】
トイレ装置１０は、便座１２を温める暖房便座機能や、トイレ室ＴＲ内を脱臭する脱臭機能などを、さらに有していてもよい。
【００３１】
図２及び図４を参照して、照明装置２０Ｌ及び照明装置３０Ｌについて説明する。  
図４は、実施形態に係るトイレシステム１の一部の平面図である。より具体的には、図４は、図１に示したトイレ室ＴＲを前方から眺めた様子を表す。なお、説明の便宜上一部の要素は、省略されている。
【００３２】
鏡２０は、照明装置２０Ｌと、支持部２３と、鏡面２４（鏡本体）と、を有する。照明装置２０Ｌは、制御部２１と、照明２２（光源部）と、通信部２９と、を有する。照明装置２０Ｌには、適宜、照明２２の電源部が設けられる。鏡面２４は、トイレ室ＴＲ内部の側壁ＳＷ１に、支持部２３によって固定して設けられている。鏡面２４は、トイレ装置１０の側方に位置しており、トイレ室ＴＲ内部に面する。照明装置２０Ｌは、鏡面２４の下端側と、側壁ＳＷ１と、の間に位置する。
【００３３】
通信部２９は、無線通信のための通信手段であり、この例では、電波を受信可能な電波受信モジュールである。図２に示すように、トイレ装置１０の制御部１５は、リモコン５０から照明装置２０Ｌ（照明２２）を調整する調整信号を受信した後、この調整信号に基づいて、照明装置２０Ｌを制御する制御信号を送信する。制御部２１は、通信部２９を介して、この制御信号を受信し、当該制御信号に基づいて照明２２を点灯または消灯させる。照明２２は、点灯時において鏡２０の下方に向けて光Ｌ２（図４参照）を照射する。照明２２の一部は、手洗い器４０の上方に位置しており、照明２２の点灯時には、光Ｌ２によって手洗い器４０が照らされる。
【００３４】
キャビネット３０は、内部に空間を有し、この内部空間に備品を収納可能に構成されている。キャビネット３０は、鏡２０の下方において、トイレ室ＴＲの側壁ＳＷ１に取り付けられている。また、キャビネット３０は、トイレ室ＴＲの床面ＦＳと離間しており、キャビネット３０と床面ＦＳとの間には空間が形成されている。キャビネット３０は、例えば取手が無いプッシュ式であり、使用者は、前面の扉を押すことで引き出しを開けることができる。
【００３５】
図４に表したように、キャビネット３０は、照明装置３０Ｌと、カバー３２と、を有する。照明装置３０Ｌは、制御部３１と、照明３３（光源部）と、通信部３９と、を有する。カバー３２は、一端がキャビネット３０の底面に固定されている。また、カバー３２は、他端が側壁ＳＷ１に向けて延び、当該他端が床面ＦＳと平行であり且つキャビネット３０の底面と離間するように屈曲している。照明装置３０Ｌは、カバー３２の他端の上に載置されている。このため、照明装置３０Ｌ（照明３３）は、トイレ室ＴＲの内部からは見えない位置に設けられている。
【００３６】
通信部３９は、無線通信のための通信手段であり、この例では、電波を受信可能な電波受信モジュールである。図２に示すように、トイレ装置１０の制御部１５は、リモコン５０から照明装置３０Ｌ（照明３３）を調整する調整信号を受信した後、この調整信号に基づいて、照明装置３０Ｌを制御する制御信号を送信する。制御部３１は、通信部３９を介して、この制御信号を受信し、当該制御信号に基づいて照明３３を点灯または消灯させる。照明３３は、点灯時に側壁ＳＷ１に向けて光Ｌ３（図４参照）を照射する。光Ｌ３の一部は、側壁ＳＷ１によって反射され、キャビネット３０下方の床面ＦＳを照らす。
【００３７】
手洗い器４０は、ボウル４１と、水栓４２（図１参照）と、を有する。手洗い器４０は、キャビネット３０の一部の上に設けられている。キャビネット３０の中には、ボウル４１の排水口と接続された不図示の配水管が設けられている。照明２２の点灯時には、手洗い器４０近傍を含むキャビネット３０の上面が照らされる。
【００３８】
リモコン５０は、例えば、キャビネット３０に埋め込まれている。また、リモコン５０の下方には、空間が形成されている。この空間の内部には紙巻器（ペーパーホルダ）が設けられており、この紙巻器によってトイレットペーパーが保持される。
【００３９】
図５は、実施形態に係るトイレシステムが有するリモコンの斜視図である。  
図５（ａ）は、リモコン５０が閉じた状態を表し、図５（ｂ）は、リモコン５０が開いた状態を表している。  
図４、図５（ａ）及び図５（ｂ）に表したように、リモコン５０は、制御部５１と、操作部５２（スイッチ）と、照明５３と、照明５４と、通信部５９と、を有する。図５（ａ）に表したように、操作部５２は、通常はリモコン５０内部に収納されている。一方で、着座検知センサ１８が使用者の着座を検知すると、制御部５１に信号が送信され、図５（ｂ）に表したように、使用者が操作可能なように操作部５２が回動して開く。また、任意のタイミングで使用者が手動で操作部５２を開閉可能であってもよい。
【００４０】
使用者は、操作部５２を介して制御部５１に、トイレシステム１の動作を指示する情報を入力可能である。また、通信部５９は、無線通信のための通信手段であり、この例では、電波を送受信可能な電波送受信モジュールである。制御部１５は、図２に示したように、通信部５９及び通信部１９を介して、リモコン５０に入力された情報を受信する。例えば、使用者は、操作部５２を用いて、局部洗浄機能の開始および停止や、便器１１の洗浄、便座暖房機能のオン・オフなどを操作することができる。
【００４１】
また、制御部５１は、人体検知センサ１７及び着座検知センサ１８の検知結果をトイレ装置１０の制御部１５から、通信部１９、５９を介して受信し、この検知結果に基づいて照明５３および照明５４を点灯または消灯させる。操作部５２は、例えば、ボタン５２ａ〜５２ｃおよびタッチスクリーン５２ｄを有しており、照明５３は、点灯時において、これらの要素をリモコン５０の内部側から照らす。照明５４は、点灯時において、リモコン５０の下方に設けられた紙巻器近傍を照らす。
【００４２】
また、使用者は、操作部５２を用いて、トイレシステム１に含まれる各照明の照度や色温度の設定情報を入力することができる。入力された設定情報に基づいて、リモコン５０から照明１６、２２、３２の調整信号が送信される。そして、既に述べたように、トイレ装置１０の制御部１５は、この調整信号を受信し、照明２２、３２（照明装置２０Ｌ、３０Ｌ）を制御する制御信号を送信する。このように使用者は操作部５２を用いて、各照明を適宜調整することが可能である。
【００４３】
なお、照明の調整の一例として、照度及び色温度について説明したが、実施形態は、これに限られない。例えば、時間帯の情報が入力可能であってもよい。これにより、トイレシステム１の使い勝手をさらに向上させることができる。例えば、深夜時間帯において、照明を暗くしたり、一部の照明をオフにしたりすることが可能である。照明の眩しさによって、深夜に使用者の眠気が覚めてしまうことを抑制することができる。なお、深夜に限らず、任意の時間帯を設定可能である。
【００４４】
ここでは、リモコン５０がキャビネット３０に埋め込まれている場合について説明したが、リモコン５０は、キャビネット３０の前面に取りつけられたものであってもよい。この場合、リモコン５０は、タッチスクリーン５２ｄや照明５３などを有していなくてもよい。
【００４５】
なお、上述した照明１６、２２、３３、５３、および５４には、例えばＬＥＤ（light emitting diode）を用いることができ、制御部１５、２１、３１および５１には、例えばマイコンを用いることができる。
【００４６】
図６は、実施形態に係るトイレシステムの動作を例示する平面図である。  
図６は、図１に示したトイレ室ＴＲを前方から眺めた様子を表す。なお、説明の便宜上一部の要素は、省略されている。また、図６は、トイレシステム１における無線通信の動作を示している。
【００４７】
図６に示すように、照明装置２０Ｌ及び照明装置３０Ｌの光を調整する調整信号Ｓｉｇ１が、リモコン５０の通信部５９から送信される。トイレ装置１０の通信部１９は、調整信号Ｓｉｇ１を受信する。そして、通信部１９は、調整信号Ｓｉｇ１に基づいて、照明装置２０Ｌを制御する制御信号Ｓｉｇ２を送信する。また、通信部１９は、調整信号Ｓｉｇ１に基づいて、照明装置３０Ｌを制御する制御信号Ｓｉｇ３を送信する。通信部２９、３９は、それぞれ、制御信号Ｓｉｇ２、Ｓｉｇ３を受信する。
【００４８】
このように、実施形態に係るトイレシステム１においては、リモコン５０と照明装置２０Ｌとの間では、直接的な無線通信が行われず、トイレ装置１０を介した間接的な無線通信が行われる。同様に、リモコン５０と照明装置３０Ｌとの間でも、直接的な無線通信が行われず、トイレ装置１０を介した間接的な無線通信が行われる。
【００４９】
トイレシステム１のように、複数の照明（例えば間接照明）を用いることにより、トイレ室ＴＲの演出性や使い勝手を向上させることができる。この際、リモコン５０を用いた無線通信によって、電気配線工事の手間を省くことができ、施工性を向上させることができる。
【００５０】
このようなトイレシステム１において、リモコン５０とトイレ装置１０との相対的な配置は、使い勝手を考慮して、一般に一定の範囲内に規定される。一方、照明装置２０Ｌや照明装置３０Ｌが設けられる位置は、トイレ室ＴＲの大きさや、使用者の好みによってトイレ室ごとに変化することがある。つまり、リモコン５０と照明装置２０Ｌとの相対的配置、および、リモコン５０と照明装置３０Ｌとの相対的配置を、予め規定することが難しい場合がある。このため、リモコン５０と照明装置２０Ｌとの間の直接的な無線通信、および、リモコン５０と照明装置３０Ｌとの間の直接的な無線通信が難しい場合がある。
【００５１】
トイレ室ＴＲの意匠性、演出性や使い勝手の観点からは、リモコン５０、照明装置２０Ｌ及び３０Ｌは、トイレ室ＴＲ内の同一の壁面に設置されることが好ましい。すなわち、図６に示したように、リモコン５０、照明装置２０Ｌ及び照明装置３０Ｌは、同一の側壁ＳＷ１に設置されることが好ましい。なお、本願明細書において、同一の壁面に設置された状態とは、ある１つの壁面（平面）に直接設置された状態だけではなく、その壁面に間接的に設置された状態（支持された状態）も含む。同一の壁面に設置された状態とは、当該壁面に沿って並べられた状態を含む。この例では、キャビネット３０及び鏡２０を同一の側壁ＳＷ１に取り付けることで、使い勝手を向上させている。そして、そのキャビネット３０及び鏡２０を利用した間接照明や、キャビネット３０に埋め込まれたリモコン５０によって、さらに使い勝手や演出性を向上させることができる。このように、リモコン５０と照明装置とを同一の壁面に設置することで、トイレ室ＴＲ全体として高い演出性及び使い勝手を得ることが可能である。
【００５２】
しかしながら、このような場合には、リモコンと照明装置との間に、キャビネット３０、鏡２０及び手洗い器４０の一部が位置し、当該一部は、無線通信の信号（電波や光などの電磁波）を遮蔽するシールド部材となることがある。例えば、図６に示した例では、シールド部材２０ｓ、３０ｓ、４０ｓおよび５０ｓが存在する。
【００５３】
鏡面２４は、照明装置２０Ｌの通信部２９を覆うように設けられており、鏡面２４には、例えば銀などの金属の薄膜が用いられる。この金属の薄膜は、シールド部材２０ｓとなる。シールド部材３０ｓは、例えば補強などを目的としてキャビネット３０の上面に設けられたＳＵＳ等の金属板である。シールド部材４０ｓは、ボウル４１内に残留した水または水膜である。シールド部材５０ｓは、リモコン５０の筐体である。筐体には、強度向上などのためＳＵＳ等の金属が用いられることがある。この場合、筐体は、リモコン５０の上面及び下面を覆っているため、無線信号は、上方および下方には伝搬しにくい。
【００５４】
このように、リモコンと照明装置２０Ｌ、３０Ｌとの間の直接的な無線通信においては、十分な信号強度を確保することが難しい場合があり、十分な通信品質を保てないおそれがある。これに対して、実施形態に係るトイレシステム１では、リモコン５０と照明装置２０Ｌ、３０Ｌとは、トイレ装置１０を介して無線通信を行う。
【００５５】
一般にトイレ装置１０は、トイレ室ＴＲの左右方向における中央付近に設置される。また、リモコン５０、照明装置２０Ｌ及び照明装置３０Ｌは、トイレ室ＴＲの側壁に設置される。このため、トイレ室ＴＲにおいては、トイレ装置１０とリモコン５０との間、トイレ装置１０と照明装置２０Ｌとの間、及び、トイレ装置１０と照明装置３０Ｌとの間には、無線信号を遮蔽する部材が配置されにくい。したがって、実施形態に係るトイレシステム１によれば、トイレ室ＴＲごとに照明装置２０Ｌ及び３０Ｌの位置が変化しても、照明装置２０Ｌ及び３０Ｌは、トイレ装置１０からの信号を受信しやすい。また、リモコン５０と照明装置との間にシールド部材が配置された場合でも、無線信号は、シールド部材を回避して、送受信される。以上により、無線信号を送受信しやすいトイレシステムを提供できる。例えば、確実に信号の送受信を行うことができる。
【００５６】
図７は、実施形態に係る別のトイレシステムの要部構成のブロック図である。  
図７に表したトイレシステム１ａにおいては、トイレ装置１０は、通信部１９の代わりに通信部１９ａ及び１９ｂを有する。また、リモコン５０は、通信部５９の代わりに通信部５９ａを有する。また、リモコン５０には、照明５３及び５４が設けられていない。これ以外の要素については、トイレシステム１ａには、トイレシステム１と同様の説明を適用できる。
【００５７】
リモコン５０に設けられた通信部５９ａは、赤外線送信モジュールである。赤外線送信モジュールには、例えば、赤外線を発するＬＥＤが用いられる。制御部５１は、通信部５９ａを用いて、トイレ装置１０に照明を調整する調整信号を送信する。
【００５８】
トイレ装置１０の通信部１９ａは、赤外線受信モジュールであり、通信部１９ｂは、電波送信モジュールである。通信部１９ｂは、電波送受信モジュールであってもよい。制御部１５は、通信部１９ａを用いて、リモコン５０から送信された調整信号を受信する。そして、制御部１５は、通信部１９ｂを用いて、調整信号に基づく制御信号を照明装置２０Ｌ及び照明装置３０Ｌに送信する。これにより、トイレシステム１と同様に、各照明の照度や色温度を制御することができる。
【００５９】
赤外線送信モジュールは、電波送受信モジュールに比べて安価である。リモコン５０に安価な赤外線送信モジュールを用いることにより、トイレシステム１ａのコストを抑えることができる。トイレ装置１０及びリモコン５０のみを製品の標準構成とし、照明装置２０Ｌ、３０Ｌをオプションとしてもよい。標準構成には、高価な電波送信モジュール及び電波受信モジュールなどが用いられないため、コストを抑えることができる。オプションとして、照明装置２０Ｌ及び３０Ｌを追加する場合には、通信部１９ｂがトイレ装置１０に付加される。
【００６０】
例えば、通信部５９ａが発する赤外線は、指向性を有する。このため、赤外線通信が行い易いように、リモコン５０とトイレ装置１０との位置関係が規定される。また、赤外線通信においては、赤外線送信モジュールと赤外線受信モジュールとの間に「見通し空間」（赤外線が遮られずに伝搬する空間）が確保される。これにより、十分な強度の信号を送受信することができる。
【００６１】
ここで、照明装置２０Ｌ及び３０Ｌが追加された場合、既に述べたとおり、照明装置２０Ｌ及び３０Ｌの位置は、トイレ室ＴＲ毎に変化することがある。このため、リモコン５０から発せられた赤外線の進行方向と、照明装置２０Ｌ及び３０Ｌの設置位置と、が対応しない場合、または赤外線の遮蔽物が存在する場合には、通信が困難となる。特に、リモコン５０、照明装置２０Ｌ及び３０Ｌが同一の側壁に設置された場合には、通信が困難となりやすい。
【００６２】
これに対して、トイレシステム１ａにおいても、リモコン５０と照明装置２０Ｌとの間、及び、リモコン５０と照明装置３０Ｌとの間の無線通信は、トイレ装置１０を介して行われる。これにより、無線信号を送受信しやすいトイレシステムを提供できる。
【００６３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレ装置１０、リモコン５０、照明装置２０Ｌ及び照明装置３０Ｌなどが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６４】
１０ トイレ装置、  １１ 便器、  １２ 便座、  １３ 便蓋、  １４ 本体部、  １４ｓ 洗浄機能部、  １５ 制御部、  １６ 照明、  １７ 人体検知センサ、  １８ 着座検知センサ、  １９、１９ａ、１９ｂ 通信部、  ２０ 鏡、  ２０Ｌ 照明装置、  ２０ｓ シールド部材、  ２１ 制御部、  ２２ 照明、  ２３ 支持部、  ２４ 鏡面、  ２９ 通信部、  ３０ キャビネット、  ３０Ｌ 照明装置、  ３０ｓ シールド部材、  ３１ 制御部、  ３２ カバー、  ３３ 照明、  ３９ 通信部、  ４０ 手洗い器、  ４０ｓ シールド部材、  ４１ ボウル、  ４２ 水栓、  ５０ リモコン、  ５０ｓ シールド部材、  ５１ 制御部、  ５２ 操作部、  ５２ａ〜５２ｃ ボタン、  ５２ｄ タッチスクリーン、  ５３、５４ 照明、  ５９、５９ａ 通信部、  ＦＳ 床面、  Ｌ１〜Ｌ３ 光、  ＳＷ１ 側壁、  Ｓｉｇ１ 制御信号、  Ｓｉｇ２、Ｓｉｇ３ 調整信号、  ＴＲ トイレ室
【図１】
0006369697.tif 000002
【図２】
0006369697.tif 000003
【図３】
0006369697.tif 000004
【図４】
0006369697.tif 000005
【図５】
0006369697.tif 000006
【図６】
0006369697.tif 000007
【図７】
0006369697.tif 000008